(57)【要約】【課題】ペットが糞や尿等の排泄物をすると、その水分が排泄物処理材の内部に急速に吸収されるペット用排泄物処理材を提供する。【解決手段】含水率５０〜７５％の植物性微細繊維を主成分とする粒状集合体の表面に、前記粒状集合体を綿状にしたものと粉状炭酸カルシウム及び粉状澱粉の３種の混合物を付着させたペット用排泄物処理材であって、粒状集合体９０〜９９重量部に対して、混合物は１〜１０重量部であるように構成した。【選択図】　図１
2004065099.tif 000002
【特許請求の範囲】
【請求項１】
含水率５０〜７５％の植物性微細繊維を主成分として成形した粒状体の表面に、粉状炭酸カルシウム及び粉状澱粉の２種の混合組成物を膜状に付着させたペット用排泄物処理材であって、前記粒状体９０〜９９重量部に対して、混合組成物が１〜１０重量部であることを特徴とするペット用排泄物の処理材。
【請求項２】
混合組成物は、粉状炭酸カルシウムを２５〜５０重量部、粉状澱粉を５０〜７５重量部で配合したものであることを特徴とする請求項１記載のペット用排泄物の処理材。
【請求項３】
含水率５０〜７５％の植物性微細繊維を主成分として成形した粒状体の表面に、粉状炭酸カルシウムを２５〜５０重量部、粉状澱粉を５０〜７５重量部で配合してなる混合組成物を、回転塗し装置により散布して薄膜状に付着させるようにしたことを特徴とするペット用排泄物の処理材の製造方法。
【請求項４】
含水率５０〜７５％の植物性微細繊維を主成分として成形した粒状体の表面に、植物性微細繊維、粉状炭酸カルシウム及び粉状澱粉の３種の混合組成物を膜状に付着させたペット用排泄物処理材であって、前記粒状体９０〜９９重量部に対して、混合組成物が１〜１０重量部であることを特徴とするペット用排泄物の処理材。
【請求項５】
混合組成物は、植物性微細繊維を７０〜１３０重量部、粉状炭酸カルシウムを２５〜５０重量部、粉状澱粉を５０〜７５重量部で配合したものである請求項４記載のペット用排泄物の処理材。
【請求項６】
含水率５０〜７５％の植物性微細繊維を主成分として成形した粒状体の表面に、植物性微細繊維を７０〜１３０重量部、粉状炭酸カルシウムを重量部２５〜５０重量部、粉状澱粉を５０〜７５重量部で配合してなる混合組成物を、回転塗し装置により散布して薄膜状に付着させるようにしたことを特徴とするペット用排泄物の処理材の製造方法。
【発明の詳細な説明】
【０００１】
【発明の属する技術分野】
ペット用排泄物処理材及びその製造方法に関するものである。
【０００２】
【従来の技術】
ペットの排泄物用の処理材は、例えば本発明者の提案により特開平２−１７７８３３号公報に記載されている。この製紙スラッジを使用した排泄物処理材は、低廉に製作することができるが、製紙スラッジは排出する製紙工場により多種多様な色彩、成分があり、安定した組成の製紙スラッジを確保することができないために、色彩や組成が不安定な処理材しか製造することができない。しかも、製紙スラッジの繊維長はほとんどが１ミリメートル以下であるから、この微細繊維を造粒して粒状の粒状集合体にしても表面が粗雑になるため、商品に高級感がない。特に、ペット（愛玩動物）は比較的裕福な家庭で飼育され、主にかわいがられるので、高級感がない商品は価値がないと判断されることがある。そこで特開平７−３２７５３７号公報に記載されているように、高価なバージンパルプを使用しない、ペット用排泄物処理材（愛玩動物用糞尿処理材）及びその製造方法を本発明者は提案している。これは、微細な繊維の粒状集合体の表面に、澱粉質を含む薄膜が形成されているものである。
【０００３】
【発明が解決しようとする課題】
従来のペット用排泄物処理材は、表面に形成した薄膜の吸水性が低いため、ペットが糞や尿等の排泄物をすると、その水分が排泄物処理材の内部に急速には吸収されないため周囲に広がって多数の排泄物処理材が一度に使用されてしまうことがあり、改善が望まれていた。
【０００４】
本発明は、ペットが糞や尿等の排泄物をすると、その水分が排泄物処理材の内部に急速に吸収されるペット用排泄物処理材を提供することを目的とする。
【０００５】
【課題を解決するための手段】
請求項１記載の発明は、含水率５０〜７５％の植物性微細繊維を主成分として成形した粒状体の表面に、粉状炭酸カルシウム及び粉状澱粉の２種の混合組成物を膜状に付着させたペット用排泄物処理材であって、前記粒状体９０〜９９重量部に対して、混合組成物が１〜１０重量部であることを特徴とするペット用排泄物の処理材である。
【０００６】
また、請求項２記載の発明は、混合組成物は、粉状炭酸カルシウムを２５〜５０重量部、粉状澱粉を５０〜７５重量部で配合したものである。
【０００７】
また、請求項３記載の発明は、含水率５０〜７５％の植物性微細繊維を主成分として成形した粒状体の表面に、粉状炭酸カルシウムを２５〜５０重量部、粉状澱粉を５０〜７５重量部で配合してなる混合組成物を、回転塗し装置により散布して薄膜状に付着させるようにしたことを特徴とするペット用排泄物処理材の製造方法である。
【０００８】
請求項４記載の発明は、含水率５０〜７５％の植物性微細繊維を主成分として成形した粒状体の表面に、植物性微細繊維、粉状炭酸カルシウム及び粉状澱粉の３種の混合組成物を膜状に付着させたペット用排泄物処理材であって、前記粒状体９０〜９９重量部に対して、混合組成物が１〜１０重量部であることを特徴とするペット用排泄物の処理材である。
【０００９】
また、請求項５記載の発明は、混合組成物は、植物性微細繊維を７０〜１３０重量部、粉状炭酸カルシウムを２５〜５０重量部、粉状澱粉を５０〜７５重量部で配合したものである。
【００１０】
また、請求項６記載の発明は、含水率５０〜７５％の植物性微細繊維を主成分として成形した粒状体の表面に、植物性微細繊維を７０〜１３０重量部、粉状炭酸カルシウムを重量部２５〜５０重量部、粉状澱粉を５０〜７５重量部で配合してなる混合組成物を、回転塗し装置により散布して薄膜状に付着させるようにしたことを特徴とするペット用排泄物処理材の製造方法である。
【００１１】
【発明の実施の形態】
以下、図１及び図２を参照して本発明の実施例を詳細に説明する。図１は本発明に係るペット用排泄物処理材の斜視図、図２はその製造工程の概略図、図３は図２と同様の製造工程の概略図で、混合組成物の配合を図２と異ならせたものである。
【００１２】
図１に示すようにペット用排泄物処理材１は、含水率５０〜７５％の植物性微細繊維を主成分とする粒状集合体２の表面に、粉状炭酸カルシウム及び粉状澱粉等の混合組成物３を付着させたものである。また、ペット用排泄物処理材１は、粒状集合体９０〜９９重量部に対して、混合物は１〜１０重量部の配合である。
【００１３】
本発明のペット用排泄物処理材１の核となる粒状集合体２は、原料として例えば１．０ミリメートル以下の繊維長の有機系汚泥（製紙スラッジ、その他の汚泥）やコーヒー豆の屑を使用するのが廃棄物処理として経済的に有効であるが、古紙若しくは再生紙パルプを使用したり、高級な排泄物処理材を製作する場合には、バージンパルプを使用することもできる。
【００１４】
粒状集合体２は、微細な繊維質の原料（含水率が６０〜８０％程度）に、必要であれば脱臭を目的としてコーヒー豆屑を粉砕した微細な粉末、茶の葉の粉体等の脱臭剤を、前記繊維の原料に対し０．１〜３重量％添加して離解装置で充分に粉砕し、微細な繊維質（０．０１〜１．０ミリメートル程度）にして更に充分に攪拌し、含水率を５０〜７５％程度にするとよい。混合組成物３としては、粉状炭酸カルシウム及び粉状澱粉の２種だけの混合組成物であってもよいし、粉状炭酸カルシウム及び粉状澱粉の２種を前記粒状集合体を綿状にしたものに混合して３種の混合組成物としたものであってもよい。
【００１５】
次に、混合組成物を粉状炭酸カルシウムと粉状澱粉の２種だけとした場合のペット用排泄物処理材の製造方法について、図２の製造工程の概略図を参照して説明する。先ず、上記の繊維質の原料（図２では古紙）を造粒機１０に供給して造粒すると、微細な繊維の粒状の集合体になるので、例えば２ミリ目程度の篩いを通過させて粒径が２ミリメートル以上の粒体に篩い分けて回転まぶし機３０に投入しておく。
【００１６】
また、攪拌装置２０に粉状炭酸カルシウム２２を２５〜５０重量部入れ、その中に粉状澱粉２３を５０〜７５重量部投入して攪拌して混ぜ合わせることにより粉状炭酸カルシウム２２と粉状澱粉２３を混合して混合物３を形成しておく。
【００１７】
この混合物３を回転まぶし機３０に投入して、粒状の集合体２の表面に降りかけるように散布して混ぜ合わせる。こうすることにより粒状の集合体２の表面に、３種の混合物３を付着させてペット用排泄物処理材１を製造する。
【００１８】
こうしてペット用排泄物処理材１の表面に、粉状炭酸カルシウムと粉状澱粉の２種の混合物３を付着させた薄膜が形成される。このペット用排泄物処理材１では、粉状炭酸カルシウムと粉状澱粉の２種の混合物３が表面の薄膜を構成することで、表面の吸水性が向上し、発明者の実験でも表面の吸水性が１〜１０％高いことが確認された。しかも、多数のペット用排泄物処理材１を濡らしたときには早い段階で団粒化現象が発生し、ペット用排泄物処理材１の固化性が向上していることも確認された。
【００１９】
次に、混合組成物を前記粒状集合体を綿状にしたものと粉状炭酸カルシウム及び粉状澱粉の３種とした場合のペット用排泄物処理材の製造方法について、図３の製造工程の概略図を参照して説明する。図２で説明した場合と同様に、繊維質の原料（図３では古紙）を造粒機１０に供給して造粒すると、微細な繊維の粒状の集合体になるので、例えば２ミリ目程度の篩いを通過させて粒径が２ミリメートル以上の粒体に篩い分けて回転まぶし機３０に投入しておく。
【００２０】
また、攪拌装置２０に含水率５０〜７５％の植物性微細繊維１を主成分とする粒状集合体を綿状にしたもの（図２では古紙綿状）２１を７０〜１３０重量部入れて攪拌しておく。次に、その中に粉状炭酸カルシウム２２を２５〜５０重量部投入して再び攪拌して混ぜ合わせる。そして、さらにその中に粉状澱粉２３を５０〜７５重量部投入して再び攪拌して混ぜ合わせることにより粒状集合体の綿状のもの２１と粉状炭酸カルシウム２２及び粉状澱粉２３を混合して混合物３ａを形成しておく。
【００２１】
こうしてペット用排泄物処理材１の表面に、粒状集合体を綿状にしたものと粉状炭酸カルシウム及び粉状澱粉の３種の混合物３ａを付着させた薄膜が形成される。このペット用排泄物処理材１では、粒状集合体の表面に形成する薄膜が粒状集合体を綿状にしたものの内部に、先ず澱粉を入れ込み、続いて炭酸カルシウムを入れ込んで形成したものであるから、粒状集合体を綿状にしたものが表面の薄膜を構成することで、毛細管現象が向上し、発明者の実験でも表面の吸水性が１〜１０％高いことが確認された。しかも、多数のペット用排泄物処理材１を濡らしたときには早い段階で団粒化現象が発生し、ペット用排泄物処理材１の固化性が向上していることも確認された。
【００２２】
本発明では、排泄物処理材を浅い容器に収納して犬、猫などのペットの糞、尿等の排泄物の処理に供した場合、排泄物の水分が各排泄物処理材の表面の薄膜に接触して急速に吸収されて澱粉のアルファ化が急激に進行するとともに、内部の核を構成する粒状集合体を急速に軟化させたり溶解させるので、薄膜のアルファ澱粉により隣り合う複数の排泄物処理材が急速に水分を吸収して団粒化現象が促進され相互に付着する。このように排泄物処理材は、濡らしたときには早い段階で団粒化現象が発生して固化性が向上することになる。そして、付着した複数の排泄物処理材が時間の経過により乾燥すると、澱粉質が固化して固くなるので、そのまま焼却処理したり一般家庭用の生ごみとして処理することができるが、水洗トイレに流すこともできる。
【００２３】
【発明の効果】
本発明によれば含水率５０〜７５％の植物性微細繊維を主成分とする微細な繊維の粒状集合体の表面に、粉状炭酸カルシウム重量部２５〜５０重量部、粉状澱粉５０〜７５重量部で配合した混合物を付着させて、澱粉質を含む薄膜を形成している。したがって、ペット用排泄物処理材を濡らしたときには早い段階で団粒化現象が発生して固化性が向上する等優れた効果を奏するものである。
【図面の簡単な説明】
【図１】本発明に係るペット用排泄物処理材の斜視図である。
【図２】図１のペット用排泄物処理材の製造工程の概略図である。
【図３】図１のペット用排泄物処理材の他の製造工程の概略図である。
【符号の説明】
１　ペット用排泄物処理材
２　粒状集合体
３，３ａ　混合物
１０　造粒機
２０　攪拌装置
２１　古紙綿状
２２　粉状炭酸カルシウム
２３　粉状澱粉
２５　混合物
３０　回転まぶし機
【図１】
2004065099.tif 000003
【図２】
2004065099.tif 000004
【図３】
2004065099.tif 000005